(57)【要約】【課題】放送用の番組、コンテンツを一般人でも容易に創作できるシステムを構築するのと、制作した番組、映像をインターネット上にウエブ放送局を開設して放映出来るようにすること。【解決手段】アーカイブス・ネットワークにメタデータ・サーバ、コンテンツ収納サーバ、著作権管理サーバを接続する。さらに既存の放送局の所有するコンテンツ、番組を保管してあるデータベース、映画会社、出版社等のコンテンツ提供者のデータベース・ネットワークシステムを構築する。コンテンツ制作者、映像制作者はこれらのデータベースにアクセスしてワープロ感覚で番組、映画が創作できるようにする。視聴者、クライアントの要望する映像、コンテンツをじん速に制作して、ウエブ上に設けてある放送サイトからクライアント、視聴者に配信すること。【選択図】図１
2008042860.tif 000002
【特許請求の範囲】
【請求項１】
コンテンツを収納してあるデータベースと検索用のメタデータベース・サーバと著作権管理サーバを接続したアーカイブ・ネットワークからなるネットワークを既存の情報通信網に接続する手段と、
コンテンツ検索用のメタデータ・サーバを前記アーカイブ・ネットワークに接続して、番組、映像、音楽の創作のためのコンテンツの検索を容易にしたことを特徴とするウエブ放送の番組制作と放送方法。
【請求項２】
前記請求項１においてアーカイブ・ネットワークは、放送局、映画会社、出版社等、コンテンツ制作会社の構築したデータベースに、該情報通信網からアクセスすることを特徴とするウエブ放送の番組制作と放送方法。
【請求項３】
番組、映像、音楽等の制作者は端末機器を使って情報通信網を経由して、該コンテンツ収納データベースにアクセスして、必要なデータを検索して入手する手段と、必要に応じて著作権サイトの要求に応じて使用経費を支払うことを特徴とするウエブ放送の番組制作と放送方法。
【請求項４】
前記請求項１に記載の検索用メタデータ・サーバは、ＭＰＥＧ−７を手段とすることを特徴とするウエブ放送の番組制作と放送方法。
【請求項５】
視聴者、クライアントは、情報通信網上に設けたウエブサイトから希望する番組、映像、音楽の制作を依頼して、これに応じた制作者は前記請求項１に記載のアーカイブ・ネットワークから必要とするコンテンツを入手して、該コンテンツをより充実させるために、放送局、映画会社、出版社のデータベースからコンテンツを入手して、クライアントの要求する番組、映像、音楽の創作手段を持つことを特徴とするウエブ放送の番組制作と放送方法。
【請求項６】
前記請求項５において、番組、映像、音楽等の制作者は、視聴者の所有するる視聴機材、視聴者の知識レベルに合わせて理解し易いように、番組等の制作をすることを特徴とするウエブ放送の番組制作と放送方法。
【発明の詳細な説明】
【技術分野】
【０００１】  本発明は、放送電波、地上ディジタル放送、衛星テレビ放送、ＣＡＴＶ（ｃｏｍｍｕｎｉｔｙ  ａｎｔｅｎｎａｔｅｌｅｖｉｓｉｏｎ），インターネット網を介して放送されるウエブテレビ放送と番組コンテンツの制作方法とその制御方法に関する。
【背景技術】
【０００２】  近年、放送のディジタル化によって、視聴者に便利で魅力的なサービスが提供できるようになった。放送と通信が連携することによって、視聴者の多様なニーズに答えられサービスが充実してきた。その背後にはインターネットの普及と通信との融合があって、豊富なコンテンツ資産を多角的に流通して来て、利用が可能になった事にある。【０００３】  ディジタル時代になって、「放送と通信の連携」が大きく発展した。インターネット技術やその活用したサービスも目覚しく広がった。パソコンを始め、携帯電話機、携帯端末機器、ディジタルテレビなどに向けた新しいサービスが拡大している。【０００４】  一方、端末機の技術の進展は急速である。特にＩＴ（ｉｎｆｏｒｍａｔｉｏｎ  ｔｅｃｈｎｏｌｏｇｙ）とコンピュータの利用は底辺層にまで拡大した。さらに、携帯電話機の社会への普及は、凄まじい勢いである。携帯電話機、パソコン、ＰＤＡ（ｐｅｒｓｏｎａｌ  ｄｉｇｉｔａｌ  ａｓｓｉｓｔａｎｔ）は、老若男女を問わず各人が所有するまでになった。さらに携帯電話機でテレビジョン放送を受信して楽しむまでに至った。一般にいうユビキタス（ｕｂｉｑｕｉｔｏｕｓ）社会の到来である。ユビキタス・コンピューテングあるいは、ユビキタス・ネットワーキングともいう社会である。【０００５】  又、地上波ディジタル放送が開始して「ワンセグ」というサービスも始まった。携帯電話機でワンセグ電波を受けてテレビ放送を楽しめる。カーナビや持ち運び可能なノートパソコン、ＤＶＤプレーヤでも鑑賞できる。地上波放送ディジタルが鑑賞できて、ニュース放送、天気予報、野球中継の途中経過などをデータ放送が鑑賞できる。【０００６】  放送を原点にして、ネットワーク技術の成果を活用してブロードバンドネットワークの利便性を取り込み、より豊かな情報社会が実現できる。放送局が培ってきた番組や情報、豊富なコンテンツを利用して有意義な番組制作が容易になった。【０００７】  公共テレビジョン放送だけでなく、小団体、個人がウエブ放送をネット上に開設することが可能である。番組の制作は、台本を書くだけでＣＧ（ｃｏｍｐｕｔｅｒ  ｇｒａｐｈｉｃｓ）や音声合成を使って簡単に制作できる。又豊富なアーカイブ（ａｒｃｈｉｖｅ  ｆｉｌｅ）は、書庫管理ソフト、アーカイバによって、複数のファイルをまとめて管理できる。これらのコンテンツが容易に利用できるから番組制作は、一人でも可能である。【０００８】  本発明は、ウエブ放送に関するもので主に、豊富な情報資源と公共放送の番組情報から個人の好みに応じた番組の提供ができるという特徴がある。
【特許文献１】  特開  ２００２−２７１７１３
【特許文献２】  特開  ２００４−２２２０３１
【非特許文献１】  高田  豊・浅見  聡  著  産業図書「ディジタルテレビ技術入門」２００１年
【発明の開示】
【発明が解決しようとする課題】
【０００９】  解決しようとする問題点の一つは、情報化の進展によって個人の趣向が多様化したこと。これによって、既存の公共放送では満足できなくなった。仕事、趣味、地域活動において多彩な、より深く専門的な番組を社会は必要としてきた。【００１０】  アーカイブ、放送局の番組情報の利用が可能になったこと。これによって、専門的に興味をもつ人たち、アマチュア、プロの如何を問わず社会の要求する番組の制作が出来るようになった事と、情報通信網上にウエブ放送局を開設して社会に提供できること。【００１１】  さらに本発明では、番組制作者が視聴者の要求に応じて希望する内容の番組をいち早く制作して、放送できること。制作の手段にアーカイブ・ネットワークを活用すること。そして、メタデータの活用と、放送局、映画会社、出版社のデータベース・ネットワークを活用手段にして番組、映像、コンテンツの創作に関する。
【課題を解決するための手段】
【００１２】  本発明は、上記課題を解決するためにアーカイブスＬＡＮ（ｌｏｃａｌ  ａｒｅａ  ｎｅｔｗｏｒｋ）とメタデータ、データ・ウエアハウスを有効に活用する。データ・ウエアハウスとして管理するデータベースは、２次元のテーブル構造だけでなく３次元以上のデータ構造に対応した「多次元データベース」などで、意思決定してビジネスに有効な発見もできる。【００１３】  これらの豊富なデータを使って、視聴者の要求を聞いて番組の制作を迅速に行うことができる。番組の制作経験のない人でも視聴者の要求する内容が理解できれば、ワープロで台本を書くだけで簡単に番組の制作ができる。制作した番組を自分のウエブからインターネット上に放映できる。
【発明の効果】
【００１４】  本発明の放送番組の制作は、アーカイブからコンテンツを閲覧するのと、メタデータからの情報を得て行う。制作者は視聴者の要求に応じてコンテンツをこれらのデータ・ウエアハウスから入手する。【００１５】  番組制作はこれらのデータを基にして、ワープロと同様の作業で番組の制作ができる。メタデータを使ってマルチメディア・コンテンツの検索を行えるから、映画の検索も容易に出来る。従って、番組の制作を迅速に作ることが可能である。【００１６】  視聴者の要望があった時には、その場面、情景をメタデータから直ちに検索できる。従って、企業、法人、団体から希望する番組の制作を受注できるから、コマーシャル番組の制作にも有効である。単にウエブ放送だけでなく、公共放送にコマーシャル映像を安価に提供できる。
【発明を実施するための最良の形態】
【００１７】  以下に、本発明の実施形態について図面により説明する。
【第１実施形態】
【００１８】  図面を参照して本発明の具体的な実施形態について説明する。図１は番組制作、放送、受信構成を示した全体構成図である。図１において、１０１は情報通信網、インターネット網である。１０２は１０１と接続されているアーカイブＬＡＮであって、１０２にはメタデータ１０３始め各種サーバ１０４，１０５，１０６が結合している。
【００１９】  １０４は参照サーバであって、検索者の探している情報を登録、記憶する。１０５はＭＰＥＧ−４大容量アーカイブ・スサーバである。ＭＰＥＧ−４（ｍｏｖｉｎｇ  ｐｉｃｔｕｒｅ  ｅｘｐｅｒｔｓ  ｇｒｏｕｐ）は、ビジュアル・パートにおける自然画像（従来の画像）の仕様であって、ＭＰＥＧ−４の特徴であるオブジェクト・ベース符号化機能やエラー耐性機能、各種のスケーラビリテイが定義されている。
【００２０】  ＭＰＥＧ−４の扱う映像は、静止画、小型携帯機器用、ＨＤＴＶ（ｈｉｇｈ  ｄｅｆｉｎｉｔｉｏｎ  ｔｅｌｅｖｉｓｉｏｎ：高精細テレビジョン）用の動画像まで扱っている。ＭＰＥＧ−４は、従来映像、オーディオ信号の圧縮符号化に加えて、静止画、コンピュータ・グラフィックス、テキストを含めたマルチメディアの符号化標準である。
【００２１】  そのため、ＭＰＥＧ−４では符号化対象を３次元空間のＡＶオブジュエクト、画像ではまとまりのある物体が構成するシーンとして捉え、空間内に位置する人、建物、の各オブジェクト毎に個別符号化するオブジエクト符号化する概念である。これは移動体通信など伝送量が限られているメディアでのＴＶ電話、動画像配信などのアプリケーションに有効である。
【００２２】  １０６は運用管理サーバである。１０２に接続しているデータベース、サーバの運用と管理をおこなう。１０７は映像の保存庫であって、映像を保存する。１０８のサーバは、映像、メタデータの収納管理をおこなう。１０９は貸し出し管理サーバであって、１０２のネットワークに収納している映像、メタデータの有料、無料の貸し出し管理を行う。情報通信網、インターネット網１０１を介して貸し出しは出来る。
【００２３】  １１０のサーバは、公開ライブラリであってだれでもここにある映像を含めた情報を使用できる。１１２のネットワークは映画制作会社、公共放送局のライブラリであって、この放送局、映画会社で制作された映像、メタデータを保管してある。１１１のサーバはこれらのメタデータ、映像の著作権、認証管理をおこなう。これらのデータの使用に当たっては有料と無料があるが、いづれにしてもユーザはここに所定のフォーマットにて届けをとって許可を得る。これらのデータ、映像は著作権があって勝手に使えない。
【００２４】  １１３は映像、メタデータの収納データベースであって、１１４はこの管理サーバである。１１２のネットワークは、１０１の情報通信網からアクセスできる。番組制作に当たって、１０２のアーカイブス・ネットワークだけで用が足りないときに１１２の特定の放送局か映画会社にある映像、メタデータを使うことができる。
【００２５】  １０１上のウエブは、これらの１０２、１１２のメタデータ、映像を使って番組の制作に当たったり、端末機器をつかって映像、番組を楽しむ機器を接続できる。１１５は１０２、１１２に接続するサイトである。１１６はメタデータの制作を行うサイトであって、作ったデータは１１５を介して１０２にあるメタ・データベース１０３に蓄えられる。
【００２６】  １１７は番組、映画の制作の際、編集を専門に扱うサイトである。１１８はコンテンツ制作者、映像の制作者１３２〜１３３と接続するサイトである。１３９はユーザ、視聴者用のサイトであって、１３５〜１３６の視聴者の端末機器に接続している。１３７はユーザ、視聴者がどこでも楽しむための携帯端末機器である。携帯電話機のワンセグ付き機能のものであればなお良い。
【００２７】  １２０は携帯無線会社の基地局であって、ユーザ、視聴者へ無線電波１３８にて情報、データの配信を行う。１２１は携帯無線会社の専用線であって、１１９は１０１上に設けた携帯無線会社のウエブサイトである。
【００２８】  図１においては、情報通信網１０１と接続したアーカイブス・ネットワーク１０２にメタデータを収納した大容量データベースと管理サーバがあって、誰でもアクセスできる。番組、映画の制作に必要なデータベースである。さらに番組、映画の制作データが欲しいときには、１１２の放送局、映画会社のネットワークにアクセスして制作に必要な情報を得ることも出来る。
【００２９】  これらのデータベースを使って１３２〜１３３の制作者は、番組、映画を作って１２２〜１２３のウエブ放送局からユーザ、視聴者に配信を行う。又番組、映画の制作に当たって、編集を専門にやるサイト１１７がある。こうすることによって、一般人でも番組、映画の制作と配信が可能になる。
【００３０】  ＭＰＥＧ−４は、マルチメディア・アプリケーション全般を対象にした規格のため、その応用範囲は広い。移動体通信は、高速移動や遮蔽物の影響で伝送路誤りが発生しやすいので、誤り耐性を有するＭＰＥＧ−４は、有利である。携帯電話では双方向リアルタイム通信であるＴＶ電話だけでなく、一方通信である本案のような動画像の配信サービスに効果的である。
【００３１】  マルチメディア・ストリームをサーバから配信するインターネット配信は、ブロードバンドの普及に伴って一般化してきた。インターネット動画配信は、すでに商用化されているが、独自規格のものが多い。ＭＰＥＧ−４は乱立している動画配信方式を統一できる点と、機器との連携がしやすくなるという利点がある。
【００３２】  放送では、すでにＭＰＥＧ−２によるディジタル放送が実用化されている。ＭＰＥＧ−４は移動体向けに放送が本放送が予定されている。移動体向け放送は、携帯電話機、携帯端末機器、車などでＴＶの受信が可能である。地上波ディジタルでは、音声、音楽のほかにＭＰＥＧ−４による動画も付加される。
【００３３】  蓄積メディアとしてＣＤ、ＤＶＤではＭＰＥＧ−１，ＭＰＥＧ−２が広く使われているが、今後長時間の蓄積のためにビット・レートを低く抑える必要がある。携帯機器同様にＭＰＥＧ−４が有効である。メモリカードは、高価で長時間の蓄積には向かない。従って、ビデオカメラ等の携帯機器＋メモリカードの組み合わせでは、今後ＭＰＥＧ−４が広く使われる。
【００３４】  放送局やコンテンツ制作現場では、動画をオブジェクト単位に編集、加工できる機能は有効である。オブジェクト・ベースで符号化されたコンテンツが増加するにつれて、インターネット等の情報通信網でインタラクティブ性を生かしたアプリケーションの流通が増加することが予想される。オブジェクト機能を使った教育システム、情報配信端末機器、電子プレゼンテーション、電子図書館、低ビット・レートを生かした監視システムもＭＰＥＧ−４は有効である。
【第２実施形態】
【００３５】  図２はメタデータ制作方式の模式図を示す。マルチメディア・コンテンツが膨大になるにつれて、欲しいコンテンツを簡単に検索したいという要求がある。メタデータとは、単にマルチメディア・コンテンツに関するデータという。マルチメディア・コンテンツの検索方法が鍵となる。
【００３６】  ＣＡＴＶ，衛星放送や地上波ディジタル放送の普及によって、我々の手元に届けられるマルチメディア・コンテンツの量は格段に多くなった。ディジタル・カメラ、ディジタル・ビデオと、さらに廉価なＰＣ（パソコン）上のマルチメディア編集ツールの普及は、我々自らがコンテンツのクリエータとして容易にコンテンツの制作が可能になった。
【００３７】  インターネット上において膨大な情報に対処するには、検索エンジンが重要な役割を果たす。ただこれまでのコンテンツがテキスト・ベースであることに対して、マルチメディア・コンテンツは、ビット・ストリームである。その色や形が具体的にどんなものであるかを厳密に指定することは難しい。
【００３８】  この場合に必要なのは、検索データ入力（入力クリエ）にキーワードの他に、類似した写真データやオーディオ・コンテンツの場合には、ハミングをクリエとした音楽データベース検索がこれに相当する。映画のタイトル名や出演者名、あるいは監督名から検索するのもこの方法に当てはまる。
【００３９】  例えば、マルチメディア・コンテンツの内容に基づく検索も同様である。ユーザが「或る著名なサッカー選手のゴールを見たい」という検索があった場合、まずビデオ・アーカイブへの登録に「或る著名な選手名のゴールシーン」とクリエを入力する。メタ・データベースに登録されてメタデータとのマッチングを行うことで、求める情報を含んだコンテンツ（ファイル名）とその参照位置（参照タイムコード）が得られる。
【００４０】  図２における２０１は、検索キーワード（クリエ）の内容を示す。図では抽出モジュールと称している。２０２は内容の一部であって、シーン、情景である。２０３は映像の内容の解析、２０４は音声認識、音声によって演出者、情景の特定をおこなう。２０５は音声のキーワードであって、音声のクリエがあればここで特定抽出できる。
【００４１】  ２０６は自然言語処理であって、２０７はイベントを示す。何かのイベント情報を入力すると、抽出できる。２０８は領域の検出で場所等を特定すれば、抽出可能である。２０９は演出者の氏名を直接入力して抽出する。２１０は野球場、サッカー、プロレス、街頭の騒音、観客等の歓声から特定して、抽出できる。２０１はクリエから抽出するメタデータの一例を示した。
【００４２】  ２１４はメタ・データサーバであって、２１２は番組データである。ＭＰＥＧ−７にて制御される。２１３はプリミティブデータであって、２１４は総合メタ・データである。２１５はメタデータ・エディターであって２１２から抽出したデータをユーザの都合に合わせて編集を行う。
【００４３】  ２１６はＭＰＥＧ−７である。マルチメディア検索を実行する上でマルチメディア・コンテンツの特徴を表すメタデータ（特徴記述データ）の記述方法が重要である。前述したハミングを使った音楽検索の場合、入力クリエから抽出されるメロディ記述データと、あらかじめデータベースに保存されているメロディ記述データは同じ記述形式による。
【００４４】  前記、メロディの記述は同じベンダーであれば問題ないが、インターネット上から収集したものであれば形式が異なっている場合が多い。このような時にマルチメディア・コンテンツの特徴を表現するのがＭＰＥＧ−７である。メタデータ（特徴記述データ）の記述方法を国際標準化したものである。
【００４５】  ＭＰＥＧ−７は、ｍｕｌｔｉｍｅｄｉａ  ｃｏｎｔｅｎｔ  ｄｅｓｃｒｉｐｔｉｏｎ  ｉｎｔｅｒｆａｃｅと呼び、メタ・データの記述方法を標準化したものである。ＭＰＥＧ−４など従来の標準とは、趣を異にする。従来のＭＰＥＧ標準規格では、圧縮符号化後のバイナリ・フォーマットの表現方法（ｓｙｎｔａｘ）と意味（ｓｅｍａｎｔｉｃｓ）、データ利用（複合化）が標準化対象にされてきた。
【００４６】  ＭＰＥＧ−７では、データ表記方法にＸＭＬ（ｅＸｔｅｎｓｉｂｌｅ  ｍａｒｋｕｐ  ｌａｎｇｕａｇｅ）を採用していてテキスト・ベースとなった。この結果ＭＰＥＧ−７は、特定のアプリケーション形態、ライブの中継であるとか、Ｐｕｌｌ型（クライアントの要求に応じてサーバがコンテンツを供給する形式）やＰｕｓｈ型（サーバがクライアントに一方的にコンテンツを供給する形式）といったことから独立したメタデータ標準記述規格となった。
【００４７】  図２において、２１６はＭＰＥＧ−７にて番組、コンテンツが制作されて放送サイトに送られる。そしてウエブ放送局からインターネット上に放送する。又は、携帯無線によって図１の１２０から移動体無線端末機器に向けて放送される。
【第３実施形態】
【００４８】  図３は視聴者、ユーザ、クライアントの要望によって番組の制作を行う構成を示した模式図である。１０１の情報通信網、インターネット網上にウエブサイト３０１が設けられている。３０１は映像、テレビジョン放送番組の制作サイトである。３０２は編集作業を行うウエブサイトであって、３０４はウエブ放送局である。
【００４９】  ３０４は視聴者、クライアント３０６が接続している。３０６はウエブ３０４から放映される番組、音楽、映像を楽しむことができる。３０３は３０５と接続していて、３０５も３０６と同様な視聴者、クライアントである。ここの３０３のウエブは、３０５から番組、音楽、映像のリクエストを受け付ける。３０３はリクエストに応じて、３０１の番組、映像クリエイタに制作依頼する。
【００５０】  ３０１で制作した番組は３０２の編集サイトで編集作業をおこなってウエブ放送として３０４から放映する。３０８、３０９は視聴者、クライアント、番組のリクエストを行う人の端末機器を接続する通信線である。一方、１２０の携帯無線基地局から携帯無線電波１３８から移動体端末機器１３７に放映する。
【００５１】  又、図示していないアンテナから地上波電波によってディジタル放送にて放映する。家庭でも、オフィス、車等の移動体にて端末機器があれば観賞できる。携帯電話機にワンセグ（周波数帯域で映像など放送に使っている１２本の他の残りの１３本目の帯域であって、１セグメントだけこれらの放送用に使う）機能が付いていれば、携帯電話機、移動体機器からでも観賞できる。
【第４実施形態】
【００５２】  図４は本案による第４実施形態を説明するフロー図である。番組、映像、音楽等の放映用のコンテンツを制作する工程を示す。Ｓ４０１は、クライアント、ユーザの要求する内容のデータの検索をおこなう。Ｓ４０２ではアーカイブス・データベースを検索する。
【００５３】  Ｓ４０３は探していた目的のコンテンツ、音、映像等が見つかったか否かどうかチェックする。見つからなかったらＳ４０８にジャンプして類似物の検索をおこなう。Ｓ４０９では欲しいコンテンツが他のサイトにあった。Ｓ４１０はこれを抽出して使用する。
【００５４】  Ｓ４０４、Ｓ４０５はさらに他の映像、音楽、コンテンツを探す。Ｓ４０６は目的のコンテンツが見つかったかどうかチェックする。見つからなかったらＳ４０２に戻って、さらにコンテンツの探索をおこなう。
【００５５】  Ｓ４０７では、クライアントの要求するコンテンツが完成した。このコンテンツを図３の３０２において、編集してウエブ放送局３０４から放映する。本工程では、依頼人からの番組制作過程を示したが、コンテンツ制作者は独自に番組、コマーシャル映像、音楽を制作して企業、団体に売り込むことも可能である。
【第５実施形態】
【００５６】  図５は視聴者、クライアントからの要請によって番組、映画の制作を行う工程を示したフロー図である。アダプテブ・ＴＶ（ＡｄａｐＴＶ）と称する。ＡｄａｐＴＶは、視聴者個々のニーズや多様な視聴状況に応じて、一つのコンテンツを適応的に変化させて提示するメタデータを活用した放送サービスである。Ｓ５０１はクライアントから番組、映画の制作依頼があった。
【００５７】  Ｓ５０２は、視聴状況、家庭、外出中など、端末機器の画面サイズ、表示能力など、ユーザの嗜好、趣味、知識レベル、理解度などを認識する。Ｓ５０３は知識ベースによって、知的変換をおこなう。高齢者向き、幼児向き、病弱者向き、小中高校生向き、大学、大学院生向き、研究者向き等社会人に合わせた知識レベルに変換する。これはデータベースにある基礎データを基に変換エンジンを備えておいて行うことができる。
【００５８】  Ｓ５０４ではメタデータの検索をおこなって、Ｓ５０５はメタデータから制作できた。Ｓ５０６は前述したように視聴者の状況に合わせて適応変換をおこなって、Ｓ５０７にて提示、即ち依頼者に提供して、ウエブ放送局から放送する。Ｓ５０８は放送局、ＴＶ番組からコンテンツを探す。図１における、１１２のネットワークからおこなう。
【００５９】  以上説明したように、本発明では視聴者、クライアントの要求する番組、映画、映像、音楽等をメタデータより検索して容易に制作できるのと、その制作方法と放送方法に付き説明したものである。本発明によると一般人でも番組、映画、映像の制作が可能であって、多彩な人々が必要とする番組、映画の制作を容易にできる。さらにインターネット上に設けたウエブ放送局から放映できるという利点がある。
【００６０】  かつ、視聴者、クライアントの知識レベル、家庭環境、端末機器類の機能に合わせて番組、映画、音楽を提供できるから来るべき少子高齢化社会の進展にある我が国にとって、最適なシステムである。
【図面の簡単な説明】
【００６１】
【図１】  第１実施形態のシステム構成を示す図である。
【図２】  第２実施形態の内容の詳細を示した図である。
【図３】  第３実施形態のシステム構成を示した図である。
【図４】  第４実施形態の番組制作のフロー図である。
【図５】  第５実施形態の視聴者レベルに合わせて番組を制作する過程を示したフロー図である。
【符号の説明】
【００６２】  １０１                        情報通信網、インターネット網
１０２                        アーカイブスＬＡＮ
１０３                        総合データベース
１０４                        参照サーバ、登録記憶サーバ
１０５                        ＭＰＥＧ−４アーカイブス・サーバ
１０６                        運用管理」サーバ
１０７                        映像保管庫
１０８                        データ収納庫
１０９                        貸出し管理サーバ
１１０                        公開ライブラリ
１１１                        著作権、認証管理サーバ
１１２                        放送局、映画会社、出版社等のＬＡＮ
１１３                        データベース
１１４                        管理サーバ
１１５                        アーカイブ・ウエブサイト
１１６                        メタデータ制作サイト
１１７                        編集サイト
１１８                        接続サイト
１１９                        携帯無線会社ウエブサイト
１２０                        携帯無線基地局
１２１                        専用線
１２２、１２３ｎｍ            ウエブ放送局
１３１                        通信線
１３２，１３３ｎｍ            制作者、コンテンツ制作者
１３５，１３６ｎｍ            視聴者、クライアント
１３７，１３７ｎｍ            携帯端末機器
１３８                        携帯無線電波、地上波ディジタル放送電波
１３９                        視聴サイト、クライアントのサイト
２０１                        抽出モジュール
２１１                        メタデータ・サーバ
２１５                        メタデータ編集部
２１６                        ＭＰＥＧ−７
３０１                        ＴＶ、番組、映画クリエータ
３０２                        編集ウエブサイト
３０３                        番組、映画リクエストウエブ・サイト
３０４                        ウエブ放送局
３０５，３０５ｍ、３０５ｎｍ  視聴者、クライアント、番組、映画のリクエストする                                人、企業、団体
【図１】
2008042860.tif 000003
【図２】
2008042860.tif 000004
【図３】
2008042860.tif 000005
【図４】
2008042860.tif 000006
【図５】
2008042860.tif 000007